【手続補正書】
【提出日】平成18年10月13日(2006.10.13)
【手続補正１】
【補正対象書類名】明細書
【補正対象項目名】発明の名称
【補正方法】変更
【補正の内容】
【発明の名称】符号化装置、復号装置、符号化方法及び記憶媒体
【手続補正２】
【補正対象書類名】明細書
【補正対象項目名】特許請求の範囲
【補正方法】変更
【補正の内容】
【特許請求の範囲】
【請求項１】  複数種類の符号化方式によって情報を符号化する符号化装置であって、
上記符号化の結果である符号化情報を復号する復号装置が復号可能な符号化方式に関する情報を取得する復号装置状態取得手段と、
コンピュータグラフィックス画像情報を生成するための記述情報を符号化する第１の符号化手段と、
少なくとも当該コンピュータグラフィックス画像情報を自然画像符号化方式で符号化する第２の符号化手段と、
上記復号可能な符号化方式に関する情報に基づいて、符号化対象となる情報を符号化する手段を上記第１の符号化手段及び第２の符号化手段から選択する選択手段と、
を備えることを特徴とする符号化装置。
【請求項２】  更に、
合成音声情報を生成するための記述情報を符号化する第１の音声符号化手段と、
少なくとも当該合成音声情報を自然音響符号化方式で符号化する第２の音声符号化手段と、
を備え、
上記選択手段は、上記復号可能な符号化方式に関する情報に基づいて、符号化対象となる情報を上記第１の音声符号化手段及び第２の音声符号化手段から選択することを特徴とする請求項１に記載の符号化装置。
【請求項３】  複数種類の符号化方式によって情報を符号化する特定の符号化装置によって符号化された符号化情報を復号する復号装置であって、
上記符号化装置に対して、自装置の復号可能な符号化方式に関する情報を通知する通知手段と、
上記通知手段による通知に基づいて上記符号化装置にて符号化された情報を復号する復号手段と、
を備えており、
上記特定の符号化装置は、
上記符号化方式に関する情報を取得する復号装置状態取得手段と、
コンピュータグラフィックス画像情報を生成するための記述情報を符号化する第１の符号化手段と、
少なくとも当該コンピュータグラフィックス画像情報を自然画像符号化方式で符号化する第２の符号化手段と、
上記復号可能な符号化方式に関する情報に基づいて、符号化対象となる情報を符号化する手段を上記第１の符号化手段及び第２の符号化手段から選択する選択手段と、
を備えていることを特徴とする復号装置。
【請求項４】  複数種類の符号化方式によって情報を符号化する符号化方法であって、
上記符号化の結果である符号化情報を復号する復号装置が復号可能な符号化方式に関する情報を取得する復号装置状態取得工程と、
コンピュータグラフィックス画像情報を生成するための記述情報を符号化する第１の符号化工程と、
少なくとも当該コンピュータグラフィックス画像情報を自然画像符号化方式で符号化する第２の符号化工程と、
上記復号可能な符号化方式に関する情報に基づいて、符号化対象となる情報を符号化する工程を上記第１の符号化工程及び第２の符号化工程から選択する選択工程と、
を備えることを特徴とする符号化方法。
【請求項５】  複数種類の符号化方式によって情報を符号化する符号化処理をコンピュータに実行させるためのプログラムを格納した記憶媒体であって、
前記プログラムは、前記コンピュータに、
上記符号化の結果である符号化情報を復号する復号装置が復号可能な符号化方式に関する情報を取得する復号装置状態取得処理と、
コンピュータグラフィックス画像情報を生成するための記述情報を符号化する第１の符号化処理と、
少なくとも当該コンピュータグラフィックス画像情報を自然画像符号化方式で符号化する第２の符号化処理と、
上記復号可能な符号化方式に関する情報に基づいて、符号化対象となる情報を符号化する処理を上記第１の符号化処理及び第２の符号化処理から選択する選択処理と、
を実行させることを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、例えば、コンピュータグラフィクス（以下、「ＣＧ」と言う）の記述言語と自然画像を統合的に扱う符号化方式によって得られた符号化データの処理を行う装置やシステムに用いられる符号化装置、復号装置、符号化方法、及び記憶媒体に関するものである。
【手続補正４】
【補正対象書類名】明細書
【補正対象項目名】００２７
【補正方法】変更
【補正の内容】
【００２７】
そこで、本発明は、上記の欠点を除去するために成されたもので、カテゴリを超えてオブジェクトの再生を可能にすることで、幅広い装置或いはシステム間でオブジェクトの共有が可能となる、符号化装置、復号装置、符号化方法、及び記憶媒体を提供することを目的とする。
【手続補正５】
【補正対象書類名】明細書
【補正対象項目名】００２８
【補正方法】変更
【補正の内容】
【００２８】
【課題を解決するための手段】
斯かる目的下において、第１の発明に係る符号化装置は、複数種類の符号化方式によって情報を符号化する符号化装置であって、上記符号化の結果である符号化情報を復号する復号装置が復号可能な符号化方式に関する情報を取得する復号装置状態取得手段と、コンピュータグラフィックス画像情報を生成するための記述情報を符号化する第１の符号化手段と、少なくとも当該コンピュータグラフィックス画像情報を自然画像符号化方式で符号化する第２の符号化手段と、上記復号可能な符号化方式に関する情報に基づいて、符号化対象となる情報を符号化する手段を上記第１の符号化手段及び第２の符号化手段から選択する選択手段と、を備えることを特徴とする。
【手続補正６】
【補正対象書類名】明細書
【補正対象項目名】００２９
【補正方法】変更
【補正の内容】
【００２９】
第２の発明に係る符号化装置は、上記第１の発明において、更に、合成音声情報を生成するための記述情報を符号化する第１の音声符号化手段と、少なくとも当該合成音声情報を自然音響符号化方式で符号化する第２の音声符号化手段と、を備え、上記選択手段は、上記復号可能な符号化方式に関する情報に基づいて、符号化対象となる情報を上記第１の音声符号化手段及び第２の音声符号化手段から選択することを特徴とする。
【手続補正７】
【補正対象書類名】明細書
【補正対象項目名】００３０
【補正方法】変更
【補正の内容】
【００３０】
第３の発明に係る復号装置は、複数種類の符号化方式によって情報を符号化する特定の符号化装置によって符号化された符号化情報を復号する復号装置であって、上記符号化装置に対して、自装置の復号可能な符号化方式に関する情報を通知する通知手段と、上記通知手段による通知に基づいて上記符号化装置にて符号化された情報を復号する復号手段と、を備えており、上記特定の符号化装置は、上記符号化方式に関する情報を取得する復号装置状態取得手段と、コンピュータグラフィックス画像情報を生成するための記述情報を符号化する第１の符号化手段と、少なくとも当該コンピュータグラフィックス画像情報を自然画像符号化方式で符号化する第２の符号化手段と、上記復号可能な符号化方式に関する情報に基づいて、符号化対象となる情報を符号化する手段を上記第１の符号化手段及び第２の符号化手段から選択する選択手段と、を備えていることを特徴とする。
【手続補正８】
【補正対象書類名】明細書
【補正対象項目名】００３１
【補正方法】変更
【補正の内容】
【００３１】
第４の発明に係る符号化方法は、複数種類の符号化方式によって情報を符号化する符号化方法であって、上記符号化の結果である符号化情報を復号する復号装置が復号可能な符号化方式に関する情報を取得する復号装置状態取得工程と、コンピュータグラフィックス画像情報を生成するための記述情報を符号化する第１の符号化工程と、少なくとも当該コンピュータグラフィックス画像情報を自然画像符号化方式で符号化する第２の符号化工程と、上記復号可能な符号化方式に関する情報に基づいて、符号化対象となる情報を符号化する工程を上記第１の符号化工程及び第２の符号化工程から選択する選択工程と、を備えることを特徴とする。
【手続補正９】
【補正対象書類名】明細書
【補正対象項目名】００３２
【補正方法】変更
【補正の内容】
【００３２】
第５の発明に係るコンピュータ読み取り可能な記憶媒体は、複数種類の符号化方式によって情報を符号化する符号化処理をコンピュータに実行させるためのプログラムを格納した記憶媒体であって、前記プログラムは、前記コンピュータに、上記符号化の結果である符号化情報を復号する復号装置が復号可能な符号化方式に関する情報を取得する復号装置状態取得処理と、コンピュータグラフィックス画像情報を生成するための記述情報を符号化する第１の符号化処理と、少なくとも当該コンピュータグラフィックス画像情報を自然画像符号化方式で符号化する第２の符号化処理と、上記復号可能な符号化方式に関する情報に基づいて、符号化対象となる情報を符号化する処理を上記第１の符号化処理及び第２の符号化処理から選択する選択処理と、を実行させることを特徴とする。
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】削除
【補正の内容】
【手続補正１７】
【補正対象書類名】明細書
【補正対象項目名】００４０
【補正方法】削除
【補正の内容】
【手続補正１８】
【補正対象書類名】明細書
【補正対象項目名】００４１
【補正方法】削除
【補正の内容】
【手続補正１９】
【補正対象書類名】明細書
【補正対象項目名】００４２
【補正方法】削除
【補正の内容】
【手続補正２０】
【補正対象書類名】明細書
【補正対象項目名】００４３
【補正方法】削除
【補正の内容】
【手続補正２１】
【補正対象書類名】明細書
【補正対象項目名】００４４
【補正方法】削除
【補正の内容】
【手続補正２２】
【補正対象書類名】明細書
【補正対象項目名】００４５
【補正方法】削除
【補正の内容】
【手続補正２３】
【補正対象書類名】明細書
【補正対象項目名】００４６
【補正方法】削除
【補正の内容】
【手続補正２４】
【補正対象書類名】明細書
【補正対象項目名】００４７
【補正方法】削除
【補正の内容】
【手続補正２５】
【補正対象書類名】明細書
【補正対象項目名】００４８
【補正方法】削除
【補正の内容】
【手続補正２６】
【補正対象書類名】明細書
【補正対象項目名】００４９
【補正方法】削除
【補正の内容】
【手続補正２７】
【補正対象書類名】明細書
【補正対象項目名】００５０
【補正方法】削除
【補正の内容】
【手続補正２８】
【補正対象書類名】明細書
【補正対象項目名】００５１
【補正方法】削除
【補正の内容】
【手続補正２９】
【補正対象書類名】明細書
【補正対象項目名】００５２
【補正方法】削除
【補正の内容】
【手続補正３０】
【補正対象書類名】明細書
【補正対象項目名】００５３
【補正方法】削除
【補正の内容】
【手続補正３１】
【補正対象書類名】明細書
【補正対象項目名】００５４
【補正方法】削除
【補正の内容】
【手続補正３２】
【補正対象書類名】明細書
【補正対象項目名】００５５
【補正方法】削除
【補正の内容】
【手続補正３３】
【補正対象書類名】明細書
【補正対象項目名】００５６
【補正方法】削除
【補正の内容】
【手続補正３４】
【補正対象書類名】明細書
【補正対象項目名】００５７
【補正方法】削除
【補正の内容】
【手続補正３５】
【補正対象書類名】明細書
【補正対象項目名】００５８
【補正方法】削除
【補正の内容】